(57)【要約】      （修正有）【課題】ホットプレート自体の構造を変化させることなく、簡便に油の飛散を防止することができる油飛散防止板を提供する。【解決手段】ホットプレートＨＰに取り付けられる板であって、その下端縁に、下端縁より下方に突出し、ホットプレートＨＰにおけるケースＣとプレートＰとの間に挿入し得る形状に形成された固定片２を備えている。ホットプレートにおけるケースとプレートとの間に固定片を挿入すると、油飛散防止板１をプレートＰの周囲に立てた状態で設置することができる。すると、油飛散防止板１によって、プレートＰで加熱された油がプレートＰ外に飛び散ることを防ぐことができる。【選択図】図２
0003134229.tif 000002
【実用新案登録請求の範囲】
【請求項１】
ホットプレートに取り付けられる板であって、
その下端縁に、該下端縁より下方に突出し、ホットプレートにおけるケースとプレートとの間に挿入し得る形状に形成された固定片を備えている
ことを特徴とする油飛散防止板。
【請求項２】
前記板の上端には、上端縁から凹んだ切り欠き部が設けられており、
該切り欠き部は、
前記上端縁に沿った方向の長さが、人の腕の幅よりも長くなるように形成されている
ことを特徴とする請求項１記載の油飛散防止板。
【請求項３】
前記板は、上下方向よりも左右方向が長い帯状に形成されており、
該板における左右方向の端部が、該左右方向の端部同士を連結し得る形状に形成されている
ことを特徴とする請求項１または２記載の油飛散防止板。
【請求項４】
前記板における左右方向の端部は、他の板における左右方向の端部と連結し得る形状に形成されている
ことを特徴とする請求項３記載の油飛散防止板。
【考案の詳細な説明】
【技術分野】
【０００１】
本考案は、油飛散防止板に関する。ホットプレートにおいて、焼き肉等のように油が周囲に飛散する可能性のある加熱調理を行う際に、油が周囲に飛散することを防止する油飛散防止板に関する。
【背景技術】
【０００２】
ホットプレートで加熱調理した際に、油が周囲に飛散することを防止する技術として、従来例１の技術が開示されている（特許文献１）。
従来例１では、ホットプレート本体に対して着脱可能に設けられた調理用プレートに油飛散防止壁を設けている。この油飛散防止壁は、調理用プレートの周囲を囲繞するように形成されているので、調理用プレートで加熱された油が飛んでも、油飛散防止壁に当たって調理用プレートの外に油が飛び散ることを防ぐことができる。
【０００３】
しかるに、従来例１の技術では、調理用プレートに油飛散防止壁を設けているので、調理用プレートが大型化し、取り扱いが不便になる。
そして、調理用プレートが特別な形状に形成されているから、専用のホットプレート本体が必要であり、既存のホットプレートには使用することができない。
【０００４】
【特許文献１】特開２００１−８７１４０
【考案の開示】
【考案が解決しようとする課題】
【０００５】
本考案は上記事情に鑑み、ホットプレート自体の構造を変化させることなく、簡便に油の飛散を防止することができる油飛散防止板を提供することを目的とする。
【課題を解決するための手段】
【０００６】
第１考案の油飛散防止板は、ホットプレートに取り付けられる板であって、その下端縁に、該下端縁より下方に突出し、ホットプレートにおけるケースとプレートとの間に挿入し得る形状に形成された固定片を備えていることを特徴とする。
第２考案の油飛散防止板は、第１発明において、前記板の上端には、上端縁から凹んだ切り欠き部が設けられており、該切り欠き部は、前記上端縁に沿った方向の長さが、人の腕の幅よりも長くなるように形成されていることを特徴とする。
第３考案の油飛散防止板は、第１または第２発明において、前記板は、上下方向よりも左右方向が長い帯状に形成されており、該板における左右方向の端部が、該左右方向の端部同士を連結し得る形状に形成されていることを特徴とする。
第４考案の油飛散防止板は、第３発明において、前記板における左右方向の端部は、他の板における左右方向の端部と連結し得る形状に形成されていることを特徴とする。
【考案の効果】
【０００７】
第１考案によれば、ホットプレートにおけるケースとプレートとの間に固定片を挿入すると、板をプレートの周囲に立てた状態で設置することができる。すると、板によって、プレートで加熱された油がプレート外に飛び散ることを防ぐことができる。しかも、板の固定片をケースとプレートの間に差し込むだけであるから、ケースとプレートとの間に固定片が挿入できる隙間があれば、どのような形状のホットプレートであっても使用することが可能である。
第２考案によれば、切り欠き部の位置では板の高さが低くなっており、しかも、切り欠き部が人の腕を配置できる程度の長さに形成されているので、板を設けてもプレート内の調理品が取りやすくなる。
第３考案によれば、板の左右方向の端部同士を連結すれば、板が輪状になるので、輪状になった板をプレートに取り付ければ、板によってプレートの周囲を囲んだ状態とすることができる。よって、全ての方向への油の飛び散りを、一枚の板で防ぐことができる。しかも、連結片を挿入する切れ込みを変えれば、板によって形成される輪の大きさを変えることができるので、プレートの大きさにかかわらず、板によってプレートを囲むことができる。
第４考案によれば、複数枚の板を連結することができるから、連結する板の枚数を変えれば、複数枚の板によって形成される輪の大きさを変えることができる。よって、プレートの大きさに係わらず、確実にプレートの周囲を囲むことができる。
【考案を実施するための最良の形態】
【０００８】
つぎに、本考案の実施形態を図面に基づき説明する。
図１は本実施形態の油飛散防止板１の単体説明図である。同図に示すように、本実施形態の油飛散防止板１は、板状であって、その上下方向に比べて左右方向が長い帯状に形成された部材である。
この油飛散防止板１の素材は特に限定されないが、ホットプレートＨＰに取り付けたときに、簡単に燃えず、かつ簡単に柔らかくならない素材が好ましく、例えば紙（紙全般、とくに上質紙）を使用できるが、アルミホイル等が好ましい。
そして、油飛散防止板１の素材は、曲げたり折ったり丸めたりすることができるものであるとより好ましい。
【０００９】
図１に示すように、本実施形態の油飛散防止板１は、その下端縁に固定片２を備えている。この固定片２は、油飛散防止板１の下端縁よりも下方に突出しており、ホットプレートＨＰのケースＣの内面とプレートＰの外周縁との間の隙間に挿入し得る形状に形成されている。
【００１０】
また、油飛散防止板１は、その左右方向の一方の端部（図１では左端）に、連結片１ａを有している。この連結片１ａは、油飛散防止板１に切れ込みを入れて、形成されている。
【００１１】
一方、油飛散防止板１の他方の端部（図１では右端）には、切れ込み１ｂが複数設けられている。各切れ込み１ｂは、前記連結片１ａが挿入し得る長さに形成されている。
【００１２】
つぎに、本実施形態の油飛散防止板１の使用方法を説明する。
図２に示すように、ホットプレートＨＰに取り付ける前に、油飛散防止板１を、その左右方向の端部同士が重なるように丸めて輪状にする。そして、輪状にした状態で、連結片１ａを切れ込み１ｂに挿入すると、油飛散防止板１を輪状のままで保持することができる。
このとき、油飛散防止板１によって形成される輪の大きさが、油飛散防止板１を取り付けるホットプレートＨＰのプレートＰよりは大きいがケースＣよりは小さくなるように、連結片１ａを挿入する切れ込み１ｂを選択する。
【００１３】
かかる輪状になった油飛散防止板１を、固定片２がケースＣとプレートＰの間の隙間に挿入されるようにホットプレートＨＰの上に配置すれば、油飛散防止板１をプレートＰの周囲に立てた状態で設置することができる。
すると、油飛散防止板１によってプレートＰが囲まれた状態となるので、プレートＰで加熱された油がプレート外に飛び散ることを防ぐことができる。しかも、油飛散防止板１は、その固定片２をケースＣとプレートＰの間に差し込むだけでホットプレートＨＰに取り付けることができるから、ケースＣとプレートＰとの間に固定片２が挿入できる隙間があれば、どのような形状のホットプレートＨＰであっても使用することが可能である。
【００１４】
しかも、連結片１ａを挿入する切れ込み１ｂを変えれば、油飛散防止板１によって形成される輪の大きさを変えることができるので、プレートＰの大きさにかかわらず、油飛散防止板１によってプレートＰを囲むことができる。
【００１５】
なお、油飛散防止板１によって形成される輪の大きさは、固定片２をケースＣとプレートＰの間の隙間に挿入する前に調整してもよいが、固定片２が隙間に挿入後プレートＰに合わせて調整してもよい。
さらになお、油飛散防止板１を折り曲げることができる素材によって形成すれば、油飛散防止板１を折り曲げることによって四角形状のプレートであっても、その周囲を囲むことができる。
【００１６】
そして、図３に示すように、２つの油飛散防止板１を使用し、一の油飛散防止板１の連結片１ａを、他の油飛散防止板１の切れ込み１ｂに挿入すれば、１つの油飛散防止板１が形成する輪よりも大きな輪を形成することができるから、１つの油飛散防止板１では囲み切れないプレートＰであっても囲むことができる。
よって、２枚以上の油飛散防止板１を使用すれば、プレートＰの大きさに係わらず、確実にプレートＰの周囲を囲むことができる。
【００１７】
また、油飛散防止板１は、その上下方向の長さ（以下、単に高さという）が長くなれば油の飛散を防止する効果が高くなる一方、油飛散防止板１が邪魔になってプレートＰ上の食品が取りにくくなる。
しかし、図１に示すように、本実施形態の油飛散防止板１の上端縁に、この上端縁から凹んだ切り欠き部１ｈを設け、この切り欠き部１ｈの長さＬを人の腕の幅よりも長くなるように形成しておく。すると、切り欠き部１ｈの位置では油飛散防止板１の高さが低くなっているから、切り欠き部１ｈの部分からプレートＰに向かって手を入れることができる。
よって、油飛散防止板１に切り欠き部１ｈを設けておけば、油飛散防止板１をホットプレートＨＰに取り付けてもプレートＰ内の調理品が取りやすくなる。
【００１８】
なお、本実施形態の油飛散防止板１は、必ずしも輪状にして使用する必要はなく、伸ばしたままでホットプレートＰに取り付けて使用してもよいのはいうまでもない。そして、伸ばしたまま使用する場合には、油を飛散させたくない特定の方向にのみ設置することができるという利点もある。
【図面の簡単な説明】
【００１９】
【図１】本実施形態の油飛散防止板１の単体説明図である。
【図２】本実施形態の油飛散防止板１の使用状況の概略説明図である。
【図３】２枚の油飛散防止板１を使用する状況の概略説明図である。
【符号の説明】
【００２０】
１          油飛散防止板
１ｈ        切り欠き部
２          固定片
ＨＰ        ホットプレート
Ｃ          ケース
Ｐ          プレート
【図１】
0003134229.tif 000003
【図２】
0003134229.tif 000004
【図３】
0003134229.tif 000005